(57)【特許請求の範囲】
【請求項１】
キャスターにより移動可能に支持させたベースフレームと、当該ベースフレームより上方向に延びる第１支持部材および第２支持部材と、第１支持部材の上端に設けられた中間フレームとからなる構造体を備え、
第２支持部材を介して天板がベースフレームに支持されるとともに、前記中間フレームより上方に離間して配置されており、
前記中間フレームの使用縁側には把手が設けられ、前記天板の反使用縁には物品の脱落防止用のガードが立ち上げて設けられていることを特徴とする作業台。
【請求項２】
前記第１支持部材が使用縁側の左右に少なくとも一つずつ配置されており、
前記中間フレームが平面視略四角形状に形成され、当該中間フレームと前記ベースフレームとの間に棚が配置されるとともに、
少なくとも一部の棚が平面視中間フレームの内側に収まるように構成したことを特徴とする請求項１に記載の作業台。
【請求項３】
前記第２支持部材が昇降機構によって昇降可能な支柱を内有し、当該支柱の上端に前記天板の下面を固定しており、前記支柱の昇降操作を行う操作レバーが前記支柱より突出するとともに、前記天板の下方に配置されていることを特徴とする請求項１又は２に記載の作業台。
【請求項４】
前記操作レバーが天板と中間フレームとの間に配置されていることを特徴とする請求項３に記載の作業台。
【請求項５】
前記天板の上方に第２の天板を配置しており、
前記天板の昇降に合わせて第２の天板も昇降するように構成したことを特徴とする請求項１〜４のいずれかに記載の作業台。
【請求項６】
前記天板に対して前記第２の天板が平行に設けられており、前記天板と前記第２の天板との間に収納空間が形成されていることを特徴とする請求項５に記載の作業台。
【請求項７】
前記第２の天板が、前記天板によりスライド可能に支持されていることを特徴とする請求項５又は６に記載の作業台。
【請求項８】
前記第２の天板が、前記天板に対して奥行き寸法を小さく形成されているとともに、スライド可能となる方向が前後方向に設定されていることを特徴とする請求項７に記載の作業台。
【請求項９】
前記天板と前記第２の天板との各反使用縁がほぼ合致する位置から、各使用縁がほぼ合致する位置までの間で、前記第２の天板がスライド可能とされていることを特徴とする請求項８に記載の作業台。
【請求項１０】
前記第２の天板の反使用縁に沿って物品の脱落防止用の柵が設けられていることを特徴とする請求項５〜９の何れかに記載の作業台。
【請求項１１】
前記第２支持部材が、反使用縁側に設けられていることを特徴とする請求項１〜１０の何れかに記載の作業台。
【発明の詳細な説明】
【技術分野】
【０００１】
本発明は作業台に係り、特に、医療施設内における医師又は看護士等の回診時に利用することに適した作業台に関する。
【背景技術】
【０００２】
従来より、病院等の医療施設では、回診カートと称される作業台が用いられている。この回診カートの一般的な構成としては、下端部にキャスター等からなる移動手段が取り付けられた構造体と、当該構造体の所定高さ位置に配置されて回診に必要な医療用機器やカルテ等を載せるための天板及び当該天板下の複数の棚部材を備えて構成されている。
【０００３】
特に近時では、患者情報を示すカルテが、電子カルテとして記憶、更新されるものとなっており、これに伴い、いわゆるノート型パーソナルコンピュータを回診カートに付帯させ、リアルタイムで入力作業等を行う形態が採用される傾向となっている。このため、特許文献１に示すような作業台が提案されている。
【０００４】
このものは、構造体に支持させた天板に対して、トレー状のスライド天板が出し入れ可能に設けてあり、このスライド天板を必要に応じ引き出して、入力作業等が行えるように配慮されている。
【先行技術文献】
【特許文献】
【０００５】
【特許文献１】特開２００５−３４６０７号公報
【発明の概要】
【発明が解決しようとする課題】
【０００６】
しかしながら、電子カルテと紙のカルテが混在している事が多いのが実際の現場の実情であり、完全な電子化には容易には移行し難い。このため、申し送りの際にコンピュータを開きながら紙へ書き込みができる作業台が望まれている。
【０００７】
しかしながら、上記の構造においては、コンピュータはトップの天板に載置されるため、ノート型パーソナルコンピュータを設置するとそこが占有されて確実に使えなくなる。したがって、同一面でコンピュータの設置とメモ書き等を行うには、天板の面積が明らかに不足しており、仮に天板の奥行き寸法を増大させるにしても、ノート型パーソナルコンピュータが常設する限りにおいては実効を奏し得ない。特許文献１のものは段差を設けてスライドできるトレー状のスライド天板を設けているが、かかるスライド天板は片持ち的であって引き出すほどに強度が低下するため、書き込み作業等に耐え得る強度は望めない。また、ノート型パーソナルコンピュータを使用縁側に引き寄せて操作したい場合があるが、ノート型パーソナルコンピュータを天板上にて逐一スライドさせる作業は煩わしいし、抵抗も大きく、円滑な移動性も期待できない。
【０００８】
本発明は、これらの問題に鑑み、回診時に利用することに適した新たな作業台を提供することを目的としている。
【課題を解決するための手段】
【０００９】
本発明は、かかる目的を達成するために、次のような手段を講じたものである。
【００１０】
すなわち、本発明の作業台は、キャスターにより移動可能に支持させたベースフレームと、当該ベースフレームより上方向に延びる第１支持部材および第２支持部材と、第１支持部材の上端に設けられた中間フレームとからなる構造体を備え、第２支持部材を介して天板がベースフレームに支持されるとともに、前記中間フレームより上方に離間して配置されており、前記中間フレームの使用縁側には把手が設けられ、前記天板の反使用縁には物品の脱落防止用のガードが立ち上げて設けたことを特徴とする。
【００１１】
このように構成することで、簡単な支持構造ながら、天板上の物品の脱落を防止しながら把手を利用して移動可能としつつ、天板面を有効に活用することができるようになる。
【００１２】
さらに、より利便性を増して上記の効果を高めるためには、前記第１支持部材が使用縁側の左右に少なくとも一つずつ配置されており、前記中間フレームが平面視略四角形状に形成され、当該中間フレームと前記ベースフレームとの間に棚が配置されるとともに、少なくとも一部の棚が平面視中間フレームの内側に収まるように構成することが好適である。
【００１３】
また、前記第２支持部材が昇降機構によって昇降可能な支柱を内有し、当該支柱の上端に前記天板の下面を固定しており、前記支柱の昇降操作を行う操作レバーが前記支柱より突出するとともに、前記天板の下方に配置されるように構成することが好適である。
【００１４】
また、前記操作レバーが天板と中間フレームとの間に配置されるように構成することが好適である。
【００１５】
また、前記天板の上方に第２の天板を配置しており、前記天板の昇降に合わせて第２の天板も昇降するように構成することが好適である。
【００１６】
また、前記天板に対して前記第２の天板が平行に設けられており、前記天板と前記第２の天板との間に収納空間が形成されるように構成することが好適である。
【００１７】
また、前記第２の天板が、前記天板によりスライド可能に支持されるように構成することが好適である。
【００１８】
また、前記第２の天板が、前記天板に対して奥行き寸法を小さく形成されているとともに、スライド可能となる方向が前後方向に設定されるように構成することが好適である。
【００１９】
また、前記天板と前記第２の天板との各反使用縁がほぼ合致する位置から、各使用縁がほぼ合致する位置までの間で、前記第２の天板がスライド可能とされるように構成することが好適である。
【００２０】
また、前記第２の天板の反使用縁に沿って物品の脱落防止用の柵が設けられるように構成することが好適である。
【００２１】
さらに、前記第２支持部材が、反使用縁側に設けられるように構成することが好適である。
【発明の効果】
【００２２】
本発明の作業台は、以上説明した構成であるから、簡単な支持構造ながら移動可能としつつ天板上の物品の脱落を防止可能であることから、天板を有効活用することができる。したがって、特に回診カート等として用いた場合に、有効に活用することができる優れた回診用補助具としての利用価値を有するものとなる。勿論、工場や店舗など他の用途に適用しても同様の作用効果を得ることができる。
【図面の簡単な説明】
【００２３】
【図１】本発明の一実施形態に係る作業台たる回診カートの全体斜視図。
【図２】同部分平面図。
【図３】同部分正面図。
【図４】同部分左側面図。
【図５】同斜め下方からの部分斜視図。
【図６】同実施形態の作用説明図。
【図７】同実施形態の使用状態を示す図。
【図８】同実施形態の使用状態を示す図。
【図９】同実施形態の使用状態を示す図。
【発明を実施するための形態】
【００２４】
以下、本発明の一実施形態を、図面を参照して説明する。
【００２５】
図１及び図４に、本実施形態の作業台として病院等で使用される回診カートＡを示す。この回診カートＡは、移動手段であるキャスターＣに支持させて、ベースフレーム１２、上下方向に延びる第１支持部材１３，１３、第２支持部材１４及び、第１支持部材１３，１３の上端に設けられた中間フレーム１５からなる構造体１が移動可能に設けられている。第１支持部材１３，１３は、使用縁側の左右に配置されており、これらの間は開放されている。また、中間フレーム１５は平面視略四角形状に形成されている。さらに、第２支持部材１４は反使用縁側に配置されるとともに、図示しない昇降機構によって昇降可能な支柱１５を内有し、その支柱１５の上端に図示しないブラケットを介して第１の天板であるカート天板２の下面を固定状態で支持している。こうすることで、カート天板２は中間フレーム１５より上方に離間して配置された状態とされている。中間フレーム１５の使用縁側には把手１５ａが設けられ、ベースフレーム１２や中間フレーム１５等には、ベースフレーム１２と中間フレーム１５との間となる位置に、体温計や患者識別用バーコードリーダーなどのバイタルチェック用具を収容する棚１６が設けられている。これらの棚１６は、平面視中間フレーム１５の内側に収まるとともに、第１支持部材１３，１３の間に配置されている。さらに、この実施形態のカート天板２は、従来のカート天板２よりも奥行き寸法を若干程度大きく設定してある。
【００２６】
そしてこの実施形態は、前記カート天板２に、図１〜図４に示すように第２の天板である情報端末台３を前後方向にスライド可能に支持させている。
【００２７】
情報端末台３は、板金の折曲成形によって構成されたもので、カート天板２に平行な面板部３１と、この面板部３１の左右両縁から垂下する垂下部３２とを含み、この垂下部３２の下端側にカート天板２の厚みにほぼ対応する上下内法寸法の内向きチャネル部３３を設けている。この内向きチャネル部３３の少なくとも主たる摺動面となる上片３３ａには図示しないフェルトが貼着してあり、このフェルトを介してカート天板２の側縁２ａに前後方向からスライド挿入される。内向きチャネル部３３の下片３３ｂには、図５に示すようにカート天板２の奥行き方向に沿って延びる長孔３３ｂ１が設けてあり、カート天板２に嵌め合わせた状態でこの長孔３３ｂ１を通過してカート天板２の下面２ｂにピン２ｃが止着される。情報端末台３はこれにより長孔３３ｂ１の一端がピン２ｃに当接する位置と他端がピン２ｃに当接する位置との間でスライド可能となり、具体的には、使用縁２ｘ、３ｘ同士がほぼ合致する図６の位置と反使用縁２ｙ、３ｙ同士がほぼ合致する図４の位置との間で情報端末台３がカート天板２に対してスライド移動を許容される。
【００２８】
図４に示すように、情報端末台３の奥行き寸法ｄ３はカート天板２の奥行き寸法ｄ２の半部ないしこれよりやや大きめに設定され、また、図２に示すように、情報端末台３の幅寸法ｗ３は第１の天板の幅寸法にほぼ等しいかこれより若干幅広をなしている。また、情報端末台３とカート天板２との間には、図７に示すように用箋ばさみＴや申し送り用のファイル等が収容できるように、少なくとも３０ｍｍの隙間Ｌが確保され、重合部に偏平な収納空間Ｓが形成されるものとなっている。
【００２９】
情報端末台３の面板部３１には、中央及び左右に開口３１ａ、３１ｂが打ち抜いて形成してあり、前記収納空間Ｓを視認できる状態、或いは必要に応じて手指をアクセスできる状態が確保されている。また、面板部３１には、左右の側縁及び後縁に沿って、情報端末類の脱落を防止するための柵３４が取り付けてある。この柵３４は欄干状のもので、下方の開口３４ａは、図７及び図８に示すようにＡ４版のノート型パーソナルコンピュータＰを載置した場合に、電源ケーブルや通信ケーブル等の引き出し位置に対応していて、その開口からケーブル類を引き出せるようにしてある。
【００３０】
なお、カート天板２の反使用縁２ｙには、物品の脱落を防止するガード２ｚが立ち上がっている。この実施形態における支柱１５昇降範囲は、通常の体格の者が椅子に着座した姿勢で使用できる高さから、立ち位置で作業を行う高さの間に設定されており、支柱１５から突出するとともにカート天板２の下方で、かつ中間フレーム１５との間に配置された操作レバー１５ａによって昇降操作可能とされている。このカート天板２の昇降に合わせて、同時に情報端末台３も昇降を行う。
【００３１】
この作業台の利用の態様としては、情報端末台３上にてノート型パーソナルコンピュータＰを開いた状態で、情報端末台３を図８に示す後方のスライド端に位置づけてカート天板２上にて申し送りのファイル等に書き込み作業を行い必要に応じてノート型パーソナルコンピュータＰのデータの閲覧あるいは入力作業う態様、或いはこの状態でカート天板２上に肘をついてノート型パーソナルコンピュータＰのデータの閲覧あるいは入力作業を行う態様、また図９に示すようにカート天板２を情報端末台３とともに降下させ、かつ情報端末台３をカート天板２の使用縁２ｘ側に引き寄せて着座姿勢でノート型パーソナルコンピュータＰのデータの閲覧あるいは入力作業を行う態様、さらには図８の状態から情報端末台３をカート天板２の使用縁２ｘ側に引き寄せる態様、図９の状態から情報端末台３をカート天板２の反使用縁２ｙ側に押し込む態様など、種々の態様の下に利用することができる。
【００３２】
以上のように、本実施形態の回診カートＡは、構造体１に支持された第１の天板であるカート天板２に対して異なる高さ位置に第２の天板である情報端末台３を、何れのスライド位置においても有効支持範囲が変わらず、何れのスライド位置においても両持ち的であり、何れのスライド位置においてもカート天板２に上載荷重として作用するように、当該カート天板２にスライド可能に支持させたものである。
【００３３】
これらの構成によれば、簡単な支持構造ながらカート天板２のみならず情報端末台３においても十分な上載荷重を受けられるので、上方に位置する情報端末台３にある程度重量のあるノート型パーソナルコンピュータＰを配置しても十分に耐用し得るものとなり、下方に位置するカート天板２上で各種の上載荷重を伴う作業を有効に行うことができる。しかも、情報端末台３はスライド可能であるので、各種作業に応じてカート天板２に対する適切な相対位置関係を構成することが可能となる。
【００３４】
また、ノート型パーソナルコンピュータＰの設置にはさほど奥行きは要しないため、上方に配置される情報端末台３の奥行き寸法ｄ３を下方に配置されるカート天板２の奥行き寸法ｄ２に比して小さく設定しており、これによって下方に配置されるカート天板２の表出領域を十分に確保すると同時に、カート天板２と情報端末台３との間の隙間Ｌが活用できる範囲で重合状態にあるカート天板２の天板領域をも有効に利用することができる。
【００３５】
さらに、情報端末台３を、カート天板２に対して雛壇状に展開される状態と使用縁２ｘ、３ｘ同士がほぼ合致する状態との間でカート天板２に対してスライド可能としているので、使用縁２ｘ、３ｘ同士がほぼ合致する状態に引き寄せればノート型パーソナルコンピュータＰにアクセスして入力作業等を行い易い状態となる。しかも、情報端末台３が必要以上に前方に迫り出して安定性を損ない、邪魔になることも防止しておくことができる。
【００３６】
あるいは、雛壇状に展開された状態で反使用縁２ｙ、３ｙ同士がほぼ合致する位置まで情報端末台３がカート天板２に対してスライド可能とされているため、下方に配置されるカート天板２の表出領域を十分に確保することができ、カート天板２上にて申し送りのための書き込み作業等を行う上で有効なものとなる。この場合も、情報端末台３が必要以上に後方に迫り出して安定性を損ない、邪魔になることも防止しておくことができる。
【００３７】
さらに、本実施形態の構成は、カート天板の下方にスライド天板を配置してカート天板を情報端末台として使用するのではなく、カート天板２の上方に情報端末台３をスライド可能に配置しているので、カート天板２の下面の必要箇所を構造体１に支持させ、情報端末台３には構造体１から制約を受けることなく必要な幅寸法３ｗ、奥行き寸法３ｄの面板部領域を有効に確保することができ、支持も容易となる。
【００３８】
特に、カート天板２の対をなす側縁２ａをガイドとして情報端末台３をスライド移動させるようにしているので、別途にガイド機構を設けることを不要にして、シンプルながら的確なガイド機能を得ることができる。
【００３９】
この場合、情報端末段３をカート天板２に比して等幅ないし幅広としているので、情報端末台３に有効な面板部領域を確保することができ、しかもカート天板２の縁部２ａをガイドとすれば、自ずとこのような構成を無理なく採用することが可能となる。
【００４０】
さらに、カート天板２の対をなす側縁２ａに情報端末台３の支持要素である内向きチャネル部３３を前後方向から係り合わせているので、前後方向から嵌め合わせるだけで取り付けることができ、組立が簡素となる上に、既存の回診カートにも容易に後付けして本発明を構成することが可能となる。
【００４１】
そして、カート天板２が情報端末台３の荷重を上下方向の摺動面である上片３３ａで受けているので、情報端末台３の上載荷重をカート天板２に確実に支持させることができる。特にこの実施形態の作業台Ａは移動手段であるキャスターＣに支持されて移動可能とされているが、前記上片３３ａにおける適度な摺動抵抗により、情報端末台３上に載置したノート型パーソナルコンピュータＰが簡単にスライド移動して不安定な設置状態となること、或いは衝撃を受けることなどを簡単、確実に回避することができる。
【００４２】
以上の構成に加えて、本実施形態の回診カートＡは、キャスターＣにより移動可能に支持させたベースフレーム１２と、当該ベースフレーム１２より上方向に延びる第１支持部材１３，１３および第２支持部材１４と、第１支持部材１３，１３の上端に設けられた中間フレーム１５とからなる構造体１を備え、第２支持部材１４を介してカート天板２がベースフレーム１２に支持されるとともに、中間フレーム１５より上方に離間して配置されており、中間フレーム１５の使用縁２ｘ側には把手１５ａが設けられ、カート天板２の反使用縁２ｙには物品の脱落防止用のガード２ｚを立ち上げて設けるように構成したものである。
【００４３】
このように構成することで、簡単な支持構造ながら、カート天板２上の物品の脱落を防止しながら把手１５ａを利用して移動可能としつつ、天板面を有効に活用することができるようになる。
【００４４】
さらに、前記第１支持部材１３が使用縁２ｘ側の左右に一つずつ配置されており、中間フレーム１５が平面視略四角形状に形成され、中間フレーム１５とベースフレーム１２との間に棚１６が配置されるとともに、これらの棚１６が平面視中間フレーム１５の内側に収まるように構成したものである。
【００４５】
また、前記第２支持部材１４が昇降機構によって昇降可能な支柱１５を内有し、当該支柱１５の上端にカート天板２の下面を固定しており、支柱１５の昇降操作を行う操作レバー１５ａが支柱１５より突出するとともに、カート天板２の下方に配置されるように構成したものである。
【００４６】
また、操作レバー１５ａがカート天板２と中間フレーム１５との間に配置されるように構成したものである。
【００４７】
また、カート天板２の上方に情報端末台３を配置しており、カート天板２の昇降に合わせて情報端末台３も昇降するように構成したものである。
【００４８】
また、カート天板２に対して情報端末台３が平行に設けられており、カート天板２と情報端末台３との間に収納空間Ｓが形成されるように構成したものである。
【００４９】
また、情報端末台３が、カート天板２によりスライド可能に支持されるように構成したものである。
【００５０】
また、情報端末台３が、カート天板２に対して奥行き寸法を小さく形成されているとともに、スライド可能となる方向が前後方向に設定されるように構成している。
【００５１】
また、カート天板２と情報端末台３との各反使用縁２ｙ，３ｙがほぼ合致する位置から、各使用縁２ｘ，３ｘがほぼ合致する位置までの間で、情報端末台３がスライド可能とされるように構成したものである。
【００５２】
また、情報端末台３の反使用縁３ｙに沿って物品の脱落防止用の柵３４が設けられるように構成したものである。
【００５３】
さらに、第２支持部材１４が、反使用縁２ｙ側に設けられるように構成したものである。
【００５４】
上記のように構成されているため、天板をより有効活用することができ、優れた回診用補助具としての利用価値を有するものとなる。
【００５５】
以上に加えて、カート天板２が構造体１に昇降可能に支持されているため、情報端末台３のスライド調節のみならず、カート天板２及び情報端末台３の高さ調節を通じて、目的・用途・場面に応じた適切な使用状態を実現することができる。
【００５６】
特に、この実施形態の回診カートＡは、回診という用途に適合するために構造体１がキャスターＣに移動可能に支持されていて、移動性があるゆえに情報端末台３にはカート天板２とともに十分な支持強度が要求され、情報端末台３が安易にスライド移動することも回避する必要があるが、上記の構成はこれらを十分に充足し得るものとなっているものである。
【００５７】
なお、各部の具体的な構成は、上述した実施形態のみに限定されるものではなく、本発明の趣旨を逸脱しない範囲で種々変形が可能である。
【００５８】
例えば、上記のスライド機構は構造的に簡素であるが、サスペンション機構を用いてスライド移動を実現することを妨げるものではない。また、適用対象も、病院における回診用に限らず、工場や店舗における検査や在庫管理などの作業台としても有効に利用することができる。
【符号の説明】
【００５９】
１…構造体
２…第１の天板（カート天板）
２ｘ…使用縁
２ｙ…反使用縁
３…第２の天板（情報端末台）
３ａ…側縁
３ｘ…使用縁
３ｙ…反使用縁
３３…内向きチャネル部
３３ａ…摺動面（上片）
Ｃ…移動手段（キャスター）
ｄ２、ｄ３…奥行き寸法
ｗ２、ｗ３…幅寸法
【図１】
0005278922.tif 000002
【図２】
0005278922.tif 000003
【図３】
0005278922.tif 000004
【図４】
0005278922.tif 000005
【図５】
0005278922.tif 000006
【図６】
0005278922.tif 000007
【図７】
0005278922.tif 000008
【図８】
0005278922.tif 000009
【図９】
0005278922.tif 000010